(57)【要約】【課題】  カップタイプのステータを有する直流モーターと直流ファンにより、高い制御の敏感性と正確性を有するとともに、組立に便利かつ簡単な構造を提供できる。【解決手段】  カップタイプのステータを有する直流モーターとその構成を有する直流ファンにおいて、直流モーターはローター２２、カップタイプのステータ２１および制御駆動ユニット４を有する。カップタイプのステータ２１にはローター２２を囲むように筒部巻線部２１１が形成され、筒部巻線部２１１は少なくとも一本の導線から内周面が形成され、筒部巻線部２１１とローター２２との間にはエアギャップが形成される。制御駆動ユニット４はカップタイプのステータ２１の筒部巻線部２１１とは電気的に接続するように形成され、そして制御駆動ユニット４は電源と連接するように構成されている。【選択図】  図１
2010283961.tif 000002
【特許請求の範囲】
【請求項１】
ハウジング（１）、直流モーター（２）、ファンホイール（３）および制御駆動ユニット（４）を有するカップタイプのステータを備えた直流ファンにおいて、ハウジング（１）には載置框（１２）を備え、載置框（１２）には収容空間（１０）が形成され、直流モーター（２）は載置框（１２）の収容空間（１０）に設置され、直流モーター（２）はローター（２２）とカップタイプのステータ（２１）により構成され、ローター（２２）は軸桿（２２１）と永久磁石（２２２）を有し、永久磁石（２２２）は軸桿（２２１）の外側周面に嵌接し固定され、カップタイプのステータ（２１）は筒部巻線部（２１１）を有し、筒部巻線部（２１１）はローター（２２）を囲むように設けられ、筒部巻線部（２１１）には内周面が形成され、該内周面はローター（２２）の永久磁石（２２２）の外周面に向い合うように形成され、筒部巻線部（２１１）とローター（２２）との間にはエアギャップが形成され、ファンホイール（３）は軸桿（２２１）の一端に結合され、制御駆動ユニット（４）は収容空間（１０）内に収容され、制御駆動ユニット（４）はカップタイプのステータ（２１）の筒部巻線部（２１１）と電気的に接続するように形成され、そのうち筒部巻線部（２１１）は少なくとも一本の導線から巻き付けてなるもので、さらに該少なくとも一本の導線は巻き付けによって筒部巻線部（２１１）の内周面を形成するように形成されることを特徴とするカップタイプのステータを有する直流ファン。
【請求項２】
ハウジング（１）の載置框（１２）は射出成形による被覆の方式でカップタイプのステータ（２１）に結合されることを特徴とする請求項１に記載のカップタイプのステータを有する直流ファン。
【請求項３】
カップタイプのステータ（２１）には他に結合板（２１２）が含まれ、結合板（２１２）は筒部巻線部（２１１）の軸方向の端縁に固設されることを特徴とする請求項１または２に記載のカップタイプのステータを有する直流ファン。
【請求項４】
結合板（２１２）の中心位置には通孔（２１３）が設けられ、通孔（２１３）はローター（２２）の軸桿（２２１）と位置合わせるように形成されることにより、軸桿（２２１）は結合板（２１２）を通過するように形成されることを特徴とする請求項３に記載のカップタイプのステータを有する直流ファン。
【請求項５】
載置框（１２）には本体（１２１）、底板（１２２）と位置決め部材（１２３）が含まれ、本体（１２１）と底板（１２２）は互いに結合して収容空間（１０）を形成し、位置決め部材（１２３）は収容空間（１０）の内に固設され、かつ位置決め部材（１２３）はカップタイプのステータ（２１）に隣接するように形成され、さらに制御駆動ユニット（５）は底板（１２２）と位置決め部材（１２３）との間に固設するように形成されることを特徴とする請求項１または２に記載のカップタイプのステータを有する直流ファン。
【請求項６】
載置框（１２）には本体（１２１）、底板（１２２）と位置決め部材（１２３）が含まれ、本体（１２１）と底板（１２２）は互いに結合して収容空間（１０）を形成し、位置決め部材（１２３）は収容空間（１０）の内に固設され、かつ位置決め部材（１２３）はカップタイプのステータ（２１）に隣接するように形成され、さらに制御駆動ユニット（５）は底板（１２２）と位置決め部材（１２３）との間に固設するように形成されることを特徴とする請求項３に記載のカップタイプのステータを有する直流ファン。
【請求項７】
ローター（２２）、カップタイプのステータ（２１）および制御駆動ユニット（４）を有するカップタイプのステータを備えた直流モーターにおいて、ローター（２２）は軸桿（２２１）と永久磁石（２２２）を備え、永久磁石（２２２）は軸桿（２２１）の外側周面に嵌接し固定され、カップタイプのステータ（２１）は筒部巻線部（２１１）を有し、筒部巻線部（２１１）はローター（２２）を囲むように形成され、筒部巻線部（２１１）には内周面が形成され、該内周面はローター（２２）の永久磁石（２２２）の外周面に向い合うように形成され、筒部巻線部（２１１）とローター（２２）との間にはエアギャップが形成され、制御駆動ユニット（４）はカップタイプのステータ（２１）の筒部巻線部（２１１）と電気的に接続するように形成され、そのうち筒部巻線部（２１１）は少なくとも一本の導線から巻き付けてなるもので、さらに該少なくとも一本の導線は巻き付けによって筒部巻線部（２１１）の内周面を形成するように形成されることを特徴とするカップタイプのステータを有する直流モーター。
【請求項８】
カップタイプのステータ（２１）には他に結合板（２１２）が含まれ、結合板（２１２）は筒部巻線部（２１１）の軸方向の端縁に固設されることを特徴とする請求項７に記載のカップタイプのステータを有する直流モーター。
【請求項９】
結合板（２１２）の中心位置には通孔（２１３）が設けられ、通孔（２１３）はローター（２２）の軸桿（２２１）と位置合わせるように形成されることにより、軸桿（２２１）は結合板（２１２）を通過するように形成されることを特徴とする請求項８に記載のカップタイプのステータを有する直流モーター。
【発明の詳細な説明】
【技術分野】
【０００１】
本発明は、直流モーターとその構成を有する直流ファンに関するもので、特にカップタイプのステータを有する内ローター式直流モーターとそのモーターを利用して構成する直流ファンに係るものである。
【背景技術】
【０００２】
従来の直流ファンの構造として、図３に示されている従来の直流モーターにより構成される直流ファンによる組み立てられた状態の断面図を参照すると、それはアメリカ特許番号第６、１６３、０９３号（特許文献１を参照）に近似する内ローター式直流ファンである。上記直流ファンにはハウジング７、直流モーター８およびファンホイール９により構成される。ハウジング７には収容空間７１が形成され、収容空間７１は直流モーター８を収容するのに用いられる。直流モーター８にはステータ８１とローター８２が含まれる。ステータ８１はハウジング７の内表面に固定され、ローター８２は回動自在に収容空間７１の内に収容されるようにとしたものがある。
【０００３】
再び図３を参照すると、直流モーター８のステータ８１には永久磁石８１１とブラシ８１２が形成される。そのうち、永久磁石リング８１１はローター８２を囲むように形成され、ブラシ８１２は永久磁石リング８１１の一端に隣接して直流電源と連接するように形成される。一方、直流モーター８のローター８２には軸桿８２１、巻線鉄芯８２２と方向転換器８２３が形成され、軸桿８２１の一端はハウジング７から突き出るように形成される。巻線鉄芯８２２は軸桿８２１に嵌設され、巻線鉄芯８２２には永久磁石リング８１１に向いている外周面が形成され、巻線鉄芯８２２と永久磁石リング８１１とは間隔をもって設置するようにエアギャップが形成され、そして電流が巻線鉄芯８２２のコイルを通過する時、上記電流は永久磁石リング８１１の磁場とは磁束鎖交の作用が生じられる。方向転換器８２３も軸桿８２１に嵌設され、そして巻線鉄芯８２２のコイルとは電気的に接続するように形成され、さらに方向転換器８２３においてもブラシ８１２が滑動自在に電気的に接続するための外周面が形成される。その他にファンホイール９は軸桿８２１がハウジング７から突き出る一端に固設される。
【０００４】
上述した従来の直流ファンの構造によれば、上記直流ファンが直流電力をステータ８１のブラシ８１２まで供給した時、ブラシ８１２はローター８２の方向転換器８２３を通じて上記直流電力を巻線鉄芯８２２のコイルまで伝送することができる。これにより、上記直流電力が上記コイルの中で形成された電流は永久磁石リング８１１の磁場とは磁束鎖交の作用が生じられるため、ローター８２が押されてステータ８１に相対して回転するように形成される。その他に、上記直流電力を制御して巻線鉄芯８２２のコイルの中の電流を調整することにより、ローター８２の回転速度を決定することができる。
【０００５】
また、従来の直流ファンの構造として、図４に示されている従来のもう一種の直流モーターにより構成される直流ファンによる組み立てられた状態の断面図を参照すると、それはアメリカ特許番号第３、３４１、７２２号（特許文献２を参照）に近似する内ローター式直流ファンである。図４に示されている直流ファンと前述した図３に示されている直流ファンとの差異は、図４における直流ファンの直流モーター８’はカップタイプのローター８２’をもって図３におけるローター８２の代わりとし、カップタイプのローター８２’には軸桿８２１’とコイルカップ体８２２’が形成され、そのうち軸桿８２１’はコイルカップ体８２２’に穿設して固定され、そしてコイルカップ体８２２’の軸心線に沿って延伸し、さらにコイルカップ体８２２’は少なくとも一本の導線により巻き付けてなるものである。その他に、直流モーター８’のステータ８１’の永久磁石リング８１１’はコイルカップ体８２２’の内に設置され、そして軸桿８２１’が通過するのに用いられるため、コイルカップ体８２２’の内周面は永久磁石リング８１１’に向いているように形成され、さらにコイルカップ体８２２’と永久磁石リング８１１’との間にはエアギャップが形成されるようにとしたものがある。
【先行技術文献】
【特許文献】
【０００６】
【特許文献１】アメリカ特許番号第６、１６３、０９３号
【特許文献２】アメリカ特許番号第３、３４１、７２２号
【発明の概要】
【発明が解決しようとする課題】
【０００７】
上記のような図３に示されている従来の直流ファンにおいて、一般として下記の問題点を有している。従来の直流ファンにおいて、方向転換器８２３は軸桿８２１と平行しかつ離れて設置する複数個の方向転換片により構成されるため、ブラシ８１２がそのうちの一個の方向転換片から隣接するもう一個の方向変換片に切り換える時、ブラシ８１２と方向転換器８２３との間には火花が生じ易くなると同時に、ノイズが生じてシステムの制御に影響を及ぼしてしまうという問題点があった。その他に、ブラシ８１２を方向転換器８２３の外周面に緊密に当接させることにより、ブラシ８１２と方向転換器８２３との間の電気的な接觸を確保することができるため、過度に摩損したブラシ８１２を定期的に換えなければならないだけではなく、方向転換器８２３の外周面に対しても定期的に処理を行わなければならず、それによって上述した火花から溜まった炭素によってブラシ９２２と方向転換器９３３との間の導電性に影響を及ぼしてしまうという問題点があった。その他に、上記直流電力を制御することによってローター８２の回転速度を決定することができるが、ブラシ８１２はそれぞれの方向転換片の間で切り換えを行うものであるため、ブラシ８１２と方向転換器８２３を通じて伝導を行う直流電力からノイズが極めて生じ易く、そのために上述した従来の直流ファンは精確な回転速度を制御する製品には適用しないという問題点があった。
【０００８】
また、上記のような図４に示されている従来の直流ファンにおいて、一般として下記の問題点を有している。従来の直流ファンにおいて、上述したカップタイプのローター８２’の構造は低い回転慣性と高いエネルギーの転換率などの特性を有することにより、上記直流ファンが回転速度の制御における敏感性を高めることができるが、このような軽質な構造では相対的に回転の安定性が降下してしまうという問題点を有し、さらに上記直流モーター８’は相変わらずブラシ８１２’と方向転換器８２３’によって上記直流電力の伝送を行わなければならないため、上記直流ファンには相変わらず前述したブラシ８１２と方向転換器８２３の使用による問題点を存在している。
【０００９】
さらに、上述した直流モーターには精確な制御が難しいという問題点を有しているだけではなく、直流モーター８、８’の負荷に変化があった時、他に余分な検知装置（例えば機械式速度調整器、電子式速度調整期、回転速度信号発生器または光学エンコーダ）を利用して直流モーター８、８’の実際の回転速度に対してフィードバックを行うことにより、上記直流電力の電圧値を対応するように調整して直流モーター８、８’を希望とする回転速度で運転させる。しかし、これでは直流モーター８、８’の製造コストが高くなるとともに、上記検知裝置そのものの精確度によって回転速度の制御の品質に影響を及ぼしてしまうという問題点があった。このように、上記のような従来の直流モーターとその構成を有する直流ファンの構造をさらに改良しなければならない。
【００１０】
本発明はこのような問題点に鑑みて発明したものであって、その主な目的とするところは、制御駆動ユニットによって制御電流を生じさせ、そして上記制御電流を直接カップタイプのステータまで出力させることにより、直流ファンは高い制御の敏感性と制御の正確性を有するようになり、知恵的な回転速度の制御に提供することができるカップタイプのステータを有する直流モーターとその構成を有する直流ファンを提供しようとするものである。
【００１１】
本発明の第二な目的は、カップタイプのステータの筒部巻線部は少なくとも一本の導線から巻き付けなるもので、そして上記少なくとも一本の導線は直接上記筒部巻線部の内周面を形成することにより、上記直流モーターと直流ファンの構造の複雑さを低く抑えることができるカップタイプのステータを有する直流モーターとその構成を有する直流ファンを提供しようとするものである。
【００１２】
本発明の第三な目的は、射出成形による被覆の方式で筒部巻線部を直接ハウジングの収容空間の内に固定することにより、直流ファンの組立上の便利性を高めることができるカップタイプのステータを有する直流ファンを提供しようとするものである。
【課題を解決するための手段】
【００１３】
上記目的を達成するために、本発明によるカップタイプのステータを有する直流ファンは、下記のようになるものである。すなわち、
ハウジング、直流モーター、ファンホイールおよび制御駆動ユニットを有する。ハウジングには載置框が形成され、載置框には収容空間が形成される。直流モーターは載置框の収容空間に設置され、直流モーターはローターとカップタイプのステータにより構成され、ローターには軸桿と永久磁石が形成され、永久磁石は軸桿の外側周面に嵌接し固定され、カップタイプのステータには筒部巻線部が形成され、筒部巻線部はローターを囲むように形成され、筒部巻線部には内周面が形成され、内周面はローターの永久磁石の外周面に向くように形成され、筒部巻線部とローターとの間にはエアギャップが形成される。ファンホイールは軸桿の一端に結合される。制御駆動ユニットは収容空間の内に収容され、制御駆動ユニットはカップタイプのステータの筒部巻線部とは電気的に接続するように形成される。そのうち筒部巻線部は少なくとも一本の導線から巻き付けてなるもので、さらに少なくとも一本の導線は巻き付けによって筒部巻線部の内周面を形成する。
【００１４】
また、本発明によるカップタイプのステータを有する直流ファンは、ハウジングの載置框は射出成形による被覆の方式でカップタイプのステータに結合されることもできる。また、カップタイプのステータには他に結合板が含まれ、結合板は筒部巻線部の軸方向の端縁に固設されることもできる。また、結合板の中心位置には通孔が設けられ、通孔はローターの軸桿と位置合わせるように形成されることにより、軸桿は結合板を通過するように形成されることもできる。また、載置框には本体、底板と位置決め部材が含まれ、本体と底板は互いに結合して収容空間を形成し、位置決め部材は収容空間の内に固設され、かつ位置決め部材はカップタイプのステータに隣接するように形成され、さらに制御駆動ユニットは底板と位置決め部材との間に固設するように形成されることもできる。また、載置框には本体、底板と位置決め部材が含まれ、本体と底板は互いに結合して収容空間を形成し、位置決め部材は収容空間の内に固設され、かつ位置決め部材はカップタイプのステータに隣接するように形成され、さらに制御駆動ユニットは底板と位置決め部材との間に固設するように形成されることもできる。
【００１５】
また、本発明によるカップタイプのステータを有する直流モーターは、ローター、カップタイプのステータおよび制御駆動ユニットを有する。ローターには軸桿と永久磁石が形成され、永久磁石は軸桿の外側周面に嵌接し固定され、カップタイプのステータには筒部巻線部が形成され、筒部巻線部はローターを囲むように形成され、筒部巻線部には内周面が形成され、内周面はローターの永久磁石の外周面に向くように形成され、筒部巻線部とローターとの間にはエアギャップが形成される。制御駆動ユニットはカップタイプのステータの筒部巻線部とは電気的に接続するように形成される。そのうち筒部巻線部は少なくとも一本の導線から巻き付けてなるもので、さらに少なくとも一本の導線は巻き付けによって筒部巻線部の内周面を形成する。
【００１６】
さらに、本発明によるカップタイプのステータを有する直流モーターは、カップタイプのステータには他に結合板が含まれ、結合板は筒部巻線部の軸方向の端縁に固設されることもできる。また、結合板の中心位置には通孔が設けられ、通孔はローターの軸桿と位置合わせるように形成されることにより、軸桿は結合板を通過するように形成されることもできる。
【発明の効果】
【００１７】
本発明の請求項１のカップタイプのステータを有する直流ファンによれば、上記制御駆動ユニットが出力する制御の電流はいかなるブラシと方向転換器を利用することなく、直接上記カップタイプのステータまで出力することができるため、直流ファンの制御の敏感性と正確性を高めることができる。また、上記カップタイプのステータは極めて簡単な構造により完成することができるため、構造上と組立上における複雑さを大幅に低く抑えることができるという利点がある。
【００１８】
本発明の請求項２のカップタイプのステータを有する直流ファンによれば、カップタイプのステータを有する直流ファンのハウジングは射出成形による被覆の方式でカップタイプのステータに結合されることにより、より一層上記直流ファンの組立上の複雑さを低く抑えることができるという利点がある。
【００１９】
本発明の請求項７のカップタイプのステータを有する直流モーターによれば、同様にその構造から直流モーターの制御の敏感性と正確性を高めることができるとともに、構造上と組立上における複雑さを大幅に低く抑えることができるという利点がある。
【図面の簡単な説明】
【００２０】
【図１】本発明の実施形態のカップタイプのステータを有する直流ファンによる分解斜視図である。
【図２】本発明の実施形態のカップタイプのステータを有する直流ファンによる組み立てられた状態の断面図である。
【図３】従来の直流モーターにより構成される直流ファンによる組み立てられた状態の断面図である。
【図４】従来のもう一種の直流モーターにより構成される直流ファンによる組み立てられた状態の断面図である。
【発明を実施するための最良の形態】
【００２１】
本発明の実施の形態について、以下、図面を参照して説明する。
【００２２】
図１は本発明の実施形態のカップタイプのステータを有する直流ファンによる分解斜視図で、図２は本発明の実施形態のカップタイプのステータを有する直流ファンによる組み立てられた状態の断面図である。図１、２を参照すると、本発明の実施形態の直流ファンは主に中空のカップ形のステータを有する内ローター式直流モーターからなり、そして本発明の実施形態の直流ファンにはハウジング１、直流モーター２、ファンホイール３および制御駆動ユニット４が含まれる。ハウジング１には収容空間１０が形成され、ハウジング１は直流モーター２と制御駆動ユニット４を収容するのに用いられる。ファンホイール３は直流モーター２の一端に結合される。制御駆動ユニット４は直流モーター２とは電気的に接続される。これにより、制御駆動ユニット４が制御電流を直流モーター２まで出力させた時、直流モーター２はファンホイール３がハウジング１に相対して回転するように作動するのを駆動することができる。
【００２３】
再び図１、２を参照すると、本発明の実施形態のハウジング１には導風外框１１と載置框１２が形成され、導風外框１１の軸方向の両端にはそれぞれ風入口１１１と風出口１１２が形成され、載置框１２の内部には収容空間１０が設けられ、載置框１２は導風外框１１の内に設置され、そして風入口１１１と風出口１１２との間に位置するように形成される。そのうち、導風外框１１と載置框１２との間は少なくとも一個の連接部材１３によって互いに連接されることにより、導風外框１１と載置框１２との間には流路１４が形成される。また、導風外框１１、載置框１２と連接部材１３は好ましくは一体成形の方式により形成される。さらに、連接部材１３は好ましくは導風外框１１の風出口１１２に隣接するように形成され、そして連接部材１３は選択的にリブまたは静的羽根などの構造からなることができる。その他に、本発明の直流ファンの応用の状況によれば、ハウジング１においても収容空間１０の載置框１２だけを有することができる。
【００２４】
さらに、詳しく言えば、本発明の載置框１２は好ましくは本体１２１本、底板１２２と位置決め部材１２３により共同で組成することができ、そのうち本体１２１と底板１２２は互いに結合して共同で収容空間１０を形成し、そして位置決め部材定位件１２３は収容空間１０の内に固設される。他に、載置框１２には開口１２４が形成され、開口１２４は本体１２１の上部に形成され、そして風入口１１１に向くように形成される。さらに、開口１２４は第一軸受け１５と結合することができ、そして位置決め部材１２３は第二軸受け１６と結合することができ、第一軸受け１５と第二軸受け１６は直流ファンの軸方向上において位置合わせるように設置される。
【００２５】
再び図１、２を参照すると、本発明の実施形態の直流モーター２にはカップタイプのステータ２１とローター２２が含まれる。カップタイプのステータ２１は半径方向でローター２２を囲むように形成され、そしてカップタイプのステータ２１は第一軸受け１５と第二軸受け１６の間に固設される。さらに詳しく言えば、カップタイプのステータ２１は中空のカップ形のステータからなり、カップタイプのステータ２１には筒部巻線部２１１、結合板２１２と通孔２１３が含まれる。筒部巻線部２１１は少なくとも一本の導線から巻き付けて形成するものであり、そして筒部巻線部２１１はローター２２を囲むように形成されるため、筒部巻線部２１１にはローター２２に向いている内周面が形成され、さらに筒部巻線部２１１とローター２２との間にはエアギャップが形成される。
【００２６】
結合板２１２は筒部巻線部２１１の軸方向の一方の端縁に固設されることにより、筒部巻線部２１１と共同でカップタイプのステータ２１を構成する。また、結合板２１２は好ましくは載置框１２の位置決め部材１２３に隣接するように形成されることにより、位置決め部材１２３は結合板２１２によってさらに安定してカップタイプのステータ２１を載置することができる。通孔２１３は結合板２１２の中心位置に設置されることにより、ローター２２は結合板２１２を貫穿することができる。
【００２７】
そのうち、筒部巻線部２１１の内周面は少なくとも一本の導線から巻き付けて形成するものである。また、ひいては結合板２１２を省くことができ、筒部巻線部２１１だけを利用してカップタイプのステータ２１を構成することができる。その他に、ハウジング１の載置框１２は選択的に射出成形の方式で形成される時、射出成形による被覆の方式を利用してカップタイプのステータ２１の外周面を載置框１２の内壁面に直接結合させることができる。これにより、構造が極めて簡単なカップタイプのステータ２１によれば、本発明の直流ファンと直流モーター２の組立の複雑性を大幅に低く抑えることができる。
【００２８】
再び図１、２を参照すると、本発明の実施形態の直流モーター２には軸桿２２１と永久磁石２２２が形成される。軸桿２２１の一端は第一軸受け１５を貫穿して結合されることにより、載置框１２から伸び出てファンホイール３に結合され、そして軸桿２２１の他端は第二軸受け１６に結合される。永久磁石２２２は軸桿２２１の外側周面に嵌接して固定され、永久磁石２２２には外周面が形成され、上記外周面は筒部巻線部２１１の内周面に向いているように形成される。制御駆動ユニット４は底板１２２と位置決め部材１２３との間に固設され、制御駆動ユニット４は筒部巻線部２１１の導線とは電気的に接続され、さらに外部電源と接続するように形成される。
【００２９】
本発明の直流ファンが運転を行う時、制御駆動ユニット４は上記外部電源が生じる電力を受けることにより、上記制御電流を生じさせて直流モーター２のカップタイプのステータ２１の筒部巻線部２１１まで伝送させる。これにより、上記制御電流は筒部巻線部２１１の導線を通じて、ローター２２の永久磁石２２２の磁場と磁束鎖交の作用が生じられるため、ローター２２を駆動してファンホイール３が回転するように作動するのを連動することができる。
【００３０】
そのうち、本発明の直流ファンによれば、いかなる余分なブラシと方向転換器を利用することなく、上記制御電流を直接制御駆動ユニット４を経由して直流モーター２のカップタイプのステータ２１まで伝送することができる。従って、本発明の直流ファンの構造によれば、上記制御電流を伝送する時に生じる干渉とノイズを確実に大幅に減らすことができる。これにより、制御駆動ユニット４の回路は知恵型の集成回路により構成され、上記制御電流が過大な干渉またはノイズの影響を受けない情況で高い正確性の制御電流を筒部巻線部２１１まで出力することにより、回転速度の制御を行うことができるとともに、さらに高い制御の敏感性と制御の正確性を高めることができる。
【００３１】
詳しく言えば、制御駆動ユニット４にコンバータ回路を設置することにより、上記コンバータ回路の作動によりフィードバックの信号を生じることができるため、本発明の直流モーターと直流ファンに対して正確な回転速度によるサーボ制御を行うことができる。その他に、パルス幅変調（Pulse Width Modulation）の技術を制御駆動ユニット４に応用することができ、そして導通時間のパルス幅を変えることによって直流モーター２に附加する均等な電力を調整することにより、その回転速度を変えることができる。さらに、直接制御駆動ユニット４により検知し、そしてそれによって生じる制御電流をフィードバックすることにより、直流モーター２が異常な運転状態時において警告の信号を発したり、または本発明の直流ファンがその他の装置とシステムの整合を行う時に提供したりして運用することができる。
【産業上の利用可能性】
【００３２】
上述の如く、従来の直流モーターによれば、ブラシと方向転換器を利用して直流電力を伝送しなければならないため、上記直流電力から過大なノイズが生じられるという問題点があったが、本発明の直流モーターによれば、制御駆動ユニット４から出力した高い正確性を有する制御電流を直接カップタイプのステータ２１まで伝送することにより、上記制御電流が過大なノイズを含有するのを有効に避けることができ、さらに制御駆動ユニット４を通じて知恵的な回転速度の制御を行うことができる。また、筒部巻線部２１１を有して、かつ中空のカップ形に形成されるカップタイプのステータ２１によれば、上記直流ファンと直流モーターの構造の複雑さを大幅に低く抑えることができる。その他に、選択的に射出成形による被覆の方式を利用して筒部巻線部２１１を直接ハウジング１の収容空間１０の内に固定することにより、本発明の直流ファンの組立上の便利性をより一層高めることができる。
【００３３】
本発明は、その精神及び必須の特徴事項から逸脱することなく他のやり方で実施することができる。従って、本明細書に記載した好ましい実施形態は例示的なものであり、限定的なものではない。
【符号の説明】
【００３４】
１    ハウジング
１０    収容空間
１１    導風外框
１１１    風入口
１１２    風出口
１２    載置框
１２１    本体
１２２    底板
１２３    位置決め部材
１２４    開口
１３    連接部材
１４    流路
１５    第一軸受け
１６    第二軸受け
２    直流モーター
２１    カップタイプのステータ
２１１    筒状巻線部
２１２    結合板
２１３    通孔
２２    ローター
２２１    軸桿
２２２    永久磁石
３    ファンホイール
４    制御駆動ユニット
７    ハウジング
７１    収容空間
８    直流モーター
８’  直流モーター
８１    ステータ
８１’  ステータ
８１１    永久磁石リング
８１１’  永久磁石リング
８１２    ブラシ
８１２’  ブラシ
８２    ローター
８２’  カップタイプのローター
８２１    軸桿
８２１’  軸桿
８２２    巻線鉄芯
８２２’  コイルカップ体
８２３    方向転換器
８２３’  方向転換器
９    ファンホイール
【図１】
2010283961.tif 000003
【図２】
2010283961.tif 000004
【図３】
2010283961.tif 000005
【図４】
2010283961.tif 000006